(57)【要約】【課題】エレベーターの構造（機械室の有無等）によらず、且つ、かさ上げ台を用いることなく、ランバイ寸法を調整することができ、ランバイ寸法の調整作業の効率を向上させる。【解決手段】かごと、釣合おもりと、これらをつなぐ主ロープと、を備えたエレベーターにおいて、釣合おもりには、頂部プーリが付設され、釣合おもりと頂部プーリとの距離を調整するロープ及びウインチを設けた構成を有する。【選択図】図２
2018030668.tif 000002
【特許請求の範囲】
【請求項１】
かごと、釣合おもりと、これらをつなぐ主ロープと、を備えたエレベーターにおいて、
前記釣合おもりには、頂部プーリが付設され、
前記釣合おもりと前記頂部プーリとの距離を調整するロープ及びウインチを設けた、エレベーター。
【請求項２】
前記ロープは、その中間部分を軸により支持され、曲げられている、請求項１記載のエレベーター。
【請求項３】
前記ウインチは、前記釣合おもり側に付設されている、請求項１又は２に記載のエレベーター。
【請求項４】
前記ウインチは、前記頂部プーリ側に付設されている、請求項１又は２に記載のエレベーター。
【発明の詳細な説明】
【技術分野】
【０００１】
本発明は、エレベーターに関する。
【背景技術】
【０００２】
特許文献１には、エレベーターに関して、建物の昇降路に設けられ、ロープが巻き掛けられた回転体を建物側から支持し、ロープの伸びを吸収するように回転体を変位可能な回転体支持機構を備えた、ロープ伸び調整装置が開示されている。ここで、回転体支持機構は、ハンドルと、ねじ棒と、を有し、ハンドルを回転することにより、巻上機を上下に移動する。これにより、特許文献１に記載のロープ伸び調整装置は、かさ上げ台を用いることなくランバイ寸法を調整することができ、ランバイ寸法の調整作業の効率を向上させることができる、とされている。
【先行技術文献】
【特許文献】
【０００３】
【特許文献１】特開２０１２−１３１０号公報
【発明の概要】
【発明が解決しようとする課題】
【０００４】
特許文献１に記載のエレベーターのロープ伸び調整装置は、機械室レスエレベーター（昇降路内に巻上機を設置）のみに適用されるものであり、機械室を有するエレベーターには、法規上機械室高さの制約がある。このため、機械室を有するエレベーターに、特許文献１に記載のエレベーターのロープ伸び調整装置を適用することは困難である。
【０００５】
また、従来装置におけるランバイ寸法の調整作業の際には、釣合おもりの底部から取り外されたかさ上げ台を、釣り合いおもりの上部に取り付ける作業（かさ上げ台の再取付作業）が必要とされていた。このため、ランバイ調整作業が煩雑であり、その作業性が低かった。
【０００６】
本発明の目的は、エレベーターの構造（機械室の有無等）によらず、且つ、かさ上げ台を用いることなく、ランバイ寸法を調整することができ、ランバイ寸法の調整作業の効率を向上させることにある。
【課題を解決するための手段】
【０００７】
本発明は、かごと、釣合おもりと、これらをつなぐ主ロープと、を備えたエレベーターにおいて、釣合おもりには、頂部プーリが付設され、釣合おもりと頂部プーリとの距離を調整するロープ及びウインチを設けた構成を有する。
【発明の効果】
【０００８】
本発明によれば、釣合おもりにロープの伸縮を調整する装置を設けているため、機械室の有無等によらず、且つ、かさ上げ台を用いることなく、ランバイ寸法を調整することができ、ランバイ寸法の調整作業の効率を向上させることができる。
【図面の簡単な説明】
【０００９】
【図１】エレベーターの全体構造を示す昇降路の縦断面図である。
【図２】実施例１の釣合おもりを示す正面図である。
【図３】実施例１のロープ調整装置を示す正面図である。
【図４】実施例１の頂部プーリを示す側面図である。
【図５】実施例１の頂部プーリを示す上面図である。
【図６】実施例２の釣合おもりを示す正面図である。
【発明を実施するための形態】
【００１０】
図１は、機械室を有するエレベーター１００の全体構成を示したものである。
【００１１】
本図において、エレベーター１００は、建屋に設けられている昇降路１と、この昇降路１の上部に形成されている機械室２と、この機械室２に設置されている巻上機３と、機械室２に設置され巻上機３を駆動制御する制御盤４と、巻上機３のシーブ３ａに巻き掛けられる主ロープ５と、この主ロープ５の一端に接続され昇降路１を昇降するかご６と、主ロープ５の他端に接続され昇降路１内をかご６と反対方向に昇降する釣合おもり７と、かご６の下部と釣合おもり７とを連結するコンペンロープ８と、を備えている。
【００１２】
なお、本図においては、機械室を有するエレベーターについて説明したが、本発明は、これに限定されるものではなく、機械室を有しないエレベーターにも適用可能である。
【００１３】
以下、本発明の実施例について図面を用いて説明する。
【実施例１】
【００１４】
本実施例は、図２、図３及び図４を用いて説明する。
【００１５】
図２は、図１の釣合おもり７を矢印Ａの方向に見たものであり、本実施例の釣合おもりを示したものである。
【００１６】
図２において、釣合おもり１１の上部には、頂部プーリ１２が設置されている。縦枠５２の間には、おもりが積層されている。頂部プーリ１２の支持部には、ロープ１６（ベルト）が取り付けられている。ロープ１６は、釣合おもり１１側に付設されているウインチ１７（巻取り装置）により、その有効長さを調整することができるようになっている。これにより、釣合おもり１１と頂部プーリ１２との距離を変更することができ、釣合おもり１１と緩衝器１３とのクリアランスＣ（ランバイ）を調整することができるようになっている。ここで、ロープ１６の「有効長さ」とは、ロープ１６がウインチ１７により支持されている点から後述のロープ固定部までのロープ１６の長さをいう。
【００１７】
図３は、図２の要部拡大図であり、本実施例のロープ調整装置を示したものである。
【００１８】
図３においては、頂部プーリ１２は、側板１８の間に挟み込まれ、図示していない回転軸により支持されている。側板１８には、頂部プーリ１２が昇降する際に水平方向にずれないようにするためのガイド２０Ａ、２０Ｂが設けられている。また、側板１８には、軸２５Ａが設けられている。釣合おもりの図示していない枠には、ロープ固定部１０１、軸２５Ｂ及びウインチ１７が設けられている。ロープ固定部１０１には、巻取りを必要としないロープ１６の一方の端部を固定している。ロープ１６は、ロープ固定部１０１から軸２５Ａ、２５Ｂに引っ掛けられ、ウインチ１７にもう一方の端部をつながれている。言い換えると、ロープ１６は、その端部以外（ロープ１６の中間部分）を軸２５Ａ、２５Ｂにより支持され、曲げられている。軸２５Ａ、２５Ｂを設けることにより、ロープ１６を巻き取る力を軽減することができる。
【００１９】
ウインチ１７は、レバー１７Ａにより回転させる。これにより、ロープ１６を引っ張ったり、緩めたりすることができる。ロープ１６を引っ張ることにより、頂部プーリ１２と釣合おもりとを近づけ、釣合おもりと緩衝器とのクリアランスを大きくすることができる。逆に、ロープ１６を緩めるにより、頂部プーリ１２と釣合おもりとを遠ざけ、釣合おもりと緩衝器とのクリアランスを小さくすることができる。
【００２０】
本実施例においては、レバー１７Ａの回転は、手動としているが、ウインチ１７をモータにより回転させてもよい。
【００２１】
図４は、図３の頂部プーリ１２を側面から見た図である。
【００２２】
図４においては、頂部プーリ１２は、２枚の側板１８の間に配置されている。２枚の側板１８は、連結部材１９により固定されている。連結部材１９には、頂部プーリ１２の昇降を補助するガイド２０Ａが設けられている。これにより、頂部プーリ１２が昇降する際に水平方向にずれないようにすることができる。
【００２３】
図５は、本実施例の頂部プーリを上面から見た図である。
【００２４】
図５に示すように、頂部プーリ１２は、２枚の側板１８と連結部材１９とに囲まれている。連結部材１９に設けられたガイド２０Ａは、釣合おもり側に固定されているガイド２０Ｂにはめ込まれている。ガイド２０Ｂは、レール状である。これにより、頂部プーリ１２が昇降する際は、ガイド２０Ｂの内側でガイド２０Ａが摺動するため、ガイド２０Ａがガイド２０Ｂに沿って移動するようになっている。
【００２５】
なお、ガイド２０Ａとガイド２０Ｂとの組み合わせは、ガイド２０Ａが水平方向にぶれないような構成であればどのような構成であってもよい。例えば、ガイド２０Ａをピン状（軸状）の形状とし、ガイド２０Ｂを、鉛直方向に長軸を有する角丸長方形状（矩形状であってもよい。）の穴としてもよい。この場合、ガイド２０Ｂの短軸は、ガイド２０Ａの直径よりもわずかに大きいものである。これにより、ガイド２０Ａは、ガイド２０Ｂの内側で鉛直方向のみに移動するようになる。
【００２６】
また、釣合おもり１１側に付設されているウインチ１７の高さを、釣合おもり１１側に鉛直方向に挿入されたねじ棒により調整することにより、ロープ１６の張力を調整し、クリアランスＣを調整してもよい。
【実施例２】
【００２７】
図６は、本実施例の釣合おもりを示す正面図である。
【００２８】
以下の説明においては、実施例１と異なる点のみについて述べることにする。
【００２９】
図６においては、頂部プーリ１２の上部の高さにウインチ１７を設置している。言い換えると、ウインチ１７は、頂部プーリ１２側に付設されている。ロープ１６は、実施例１がＭ字状であるのに対し、本実施例においてはＷ字状に引っ掛けて配置している。
【００３０】
本実施例の場合、頂部プーリ１２の上部にウインチ１７があるため、ウインチ１７を手動で回す際にじゃまになる部品が少なく、作業性が向上するという利点がある。
【００３１】
なお、本発明は、上述した実施例に限定されるものではなく、様々な変形例を含むものである。また、ある実施例の構成の一部を他の実施例の構成に置き換えることが可能であり、ある実施例の構成に他の実施例の構成を加えることも可能である。さらに、上述した実施例は、本発明を分かりやすく説明するために詳細に説明したものであり、必ずしも説明した全ての構成を備えるものに限定されるものではない。
【符号の説明】
【００３２】
１：昇降路、２：機械室、３：巻上機、３ａ：シーブ、４：制御盤、５：主ロープ、６：かご、７：釣合おもり、８：コンペンロープ、１１：釣合おもり、１２：頂部プーリ、１３：緩衝器、１６：ロープ、１７：ウインチ、１８：側板、１９：連結部材、２０Ａ：ガイド（頂部プーリ側）、２０Ｂ：ガイド（釣合おもり側）、２５Ａ、２５Ｂ：軸、５２：縦枠、１００：エレベーター、１０１：ロープ固定部、Ｃ：クリアランス。
【図１】
2018030668.tif 000003
【図２】
2018030668.tif 000004
【図３】
2018030668.tif 000005
【図４】
2018030668.tif 000006
【図５】
2018030668.tif 000007
【図６】
2018030668.tif 000008